(57)【要約】【課題】テスト用回路板及びその操作方法を提供する。【解決手段】テスト機のテスト接点を回路板本体の周縁領域に集中的に設置し、テスト接点周囲に対して複数の第２の電気接続点を設置し、プローブ周囲に対して複数の第１の電気接続点を設置し、第１の電気接続点及び第２の電気接続点が回路板本体の導線を介して接続可能にしているため、電気検出をする場合、テスト接点を周囲の第２の電気接続点に接続するだけで、テスト信号は、テストする装置に伝送することができる。従来のユニバーサルボード構造ではジャンパーを利用することによって信号伝送品質が悪くなるという課題を回避することができる。【選択図】図２
2018040801.tif 000002
【特許請求の範囲】
【請求項１】
中央領域と周縁領域とが定義された回路板本体と、
前記回路板本体の前記中央領域に設けられた複数の第１の電気接続点と、
前記回路板本体の前記周縁領域に設けられた複数の第２の電気接続点と、
前記回路板本体に予め設けられ、前記第１の電気接続点のうちの対応するものと前記第２の電気接続点のうちの対応するものに接続された複数の回路と、
テスト信号を受信し、前記回路板本体の前記周縁領域であって前記複数の第２の電気接続点の付近に設けられる複数のテスト接点と、
を備えるテスト用回路板。
【請求項２】
前記中央領域には複数のプローブが設けられている請求項１に記載のテスト用回路板。
【請求項３】
前記複数の第１の電気接続点は前記プローブの周囲に設けられている請求項２に記載のテスト用回路板。
【請求項４】
前記プローブの周囲には複数の導電接点がさらに設けられている請求項３に記載のテスト用回路板。
【請求項５】
前記プローブは、前記複数の第１の電気接続点と前記複数の導電接点とに電気的に接続されている請求項４に記載のテスト用回路板。
【請求項６】
前記第１の電気接続点、前記第２の電気接続点と前記テスト接点は、接地接点、電源接点または信号接点である請求項１に記載のテスト用回路板。
【請求項７】
前記テスト接点は前記第２の電気接続点に電気的に接続されている請求項１に記載のテスト用回路板。
【請求項８】
前記回路板本体はユニバーサルボード構造である請求項１に記載のテスト用回路板。
【請求項９】
請求項１に記載のテスト用回路板を提供し、前記回路板本体の中央領域で前記複数の第１の電気接続点の周囲に位置して前記複数の第１の電気接続点と電気的に接続するように複数のプローブを設ける工程と、
前記複数のテスト接点を導電部材を介して前記第２の電気接続点のうちの対応するものに電気的に接続する工程と、
テスト信号を、前記テスト接点、前記第２の電気接続点、前記複数の回路、前記第１の電気接続点のうちの対応するもの、および前記プローブを介してテストする装置に伝送する工程と、
を備えるテスト用回路板の操作方法。
【請求項１０】
前記プローブの周囲には複数の導電接点が設けられている請求項９に記載のテスト用回路板の操作方法。
【請求項１１】
前記プローブはケーブルを介して前記第１の電気接続点に電気的に接続されている請求項９に記載のテスト用回路板の操作方法。
【請求項１２】
前記第１の電気接続点、前記第２の電気接続点と前記テスト接点は、接地接点、電源接点または信号接点である請求項９に記載のテスト用回路板の操作方法。
【請求項１３】
前記テスト接点は、導電ペースト、ピン、ジャンパー、スイッチングボード、スイッチまたは接続ソケットを介して前記第２の電気接続点に電気的に接続されている請求項９に記載のテスト用回路板の操作方法。
【発明の詳細な説明】
【技術分野】
【０００１】
本発明は、電気検出装置に関し、特に電気検出用の回路板に関するものである。
【背景技術】
【０００２】
従来のプローブカードは、そのプローブでチップの信号接点に接触し、チップの回路が正常であるか否かをテストしていた。通常、チップの回路のレイアウトはチップ内の回路素子特性によって異なるため、それに応じてテストするチップの信号接点は、そのチップの回路のレイアウトによって異なる。従って、テストするチップの回路素子のレイアウトに対応するために、プローブカードのサプライヤーは、通常、特定のプローブカードを製造し、当該特定のプローブカードの回路板がテストするチップの回路素子特性に対応する回路配置及びプローブ分布構造を有するようにする必要があった。
【発明の概要】
【発明が解決しようとする課題】
【０００３】
しかしながら、上述したような特定のプローブカードは、製造費が高く、テストする特定のチップに対してしかテストできないため、実際に適用した場合、プローブカードのサプライヤーは、プローブカード回路板の回路配線を特定チップの回路素子に対応する専用ボード構造として配置するほか、ユニバーサルボード構造の回路板を予め製造することがよくある。そのうち、ユニバーサルボード構造の回路板平面には、周縁から中央まで複数の半田接点がそれぞれ設置されている。より詳しくは、ユニバーサルボード構造の回路板は、径方向に分布し、周縁から中央までテスト領域の半田接点、スイッチング領域の半田接点、及びプローブ領域の半田接点がそれぞれ設けられている。そのうち、該プローブ領域の半田接点は、直接回路板下方に設けられたプローブに導通される。該テスト領域とスイッチング領域の半田接点との間は簡単な径方向配線設計であり、テスト領域上にテスト機が接触される半田接点がスイッチング領域に導通し電気的に接続するものである。そして、顧客から提供されたチップ回路素子のレイアウトに基づいて、スイッチング領域の半田接点とプローブ領域の半田接点との間に設けられる回路のジャンパーによりスイッチング領域の半田接点はプローブ領域の半田接点に導通され、プローブと電気的に接続される。
【０００４】
上記のユニバーサルボード構造を有する回路板のプローブカードは、製造コストが低いが、プローブがジャンパーによりスイッチング領域の半田接点に電気的に接続されているため、信号伝送の品質が悪くなる。
【０００５】
従って、上記課題を解決することは、現在解決すべき極めて重要な課題となっている。
【課題を解決するための手段】
【０００６】
従って、従来技術の種々の欠点に鑑み、本発明は、中央領域と周縁領域とが定義された回路板本体と、回路板本体の中央領域に設けられた複数の第１の電気接続点と、回路板本体の周縁領域に設けられた複数の第２の電気接続点と、回路板本体に予め設けられる前記複数の第１の電気接続点のうちの対応するものと前記複数の第２の電気接続点のうちの対応するものに接続される複数の回路と、テスト信号を受信し回路板本体の周縁領域であって複数の第２の電気接続点の付近に設けられる複数のテスト接点と、を備えるテスト用回路板を提供する。
【０００７】
また、本発明は、前記テスト用回路板を提供し、前記回路板本体の中央領域で前記複数の第１の電気接続点の周囲に位置して前記複数の第１の電気接続点と電気的に接続するように複数のプローブを設ける工程と、前記複数のテスト接点を導電部材を介して前記第２の電気接続点のうちの対応するものに電気的に接続する工程と、前記テスト信号を、前記テスト接点、前記複数の第２の電気接続点、前記回路板本体の回路、前記複数の第１の電気接続点のうちの対応するもの、および前記複数のプローブを介してテストする装置に伝送する工程と、を備えるテスト用回路板の操作方法をさらに提供する。
【０００８】
上記のテスト用回路板及びその操作方法において、プローブの周囲には複数の導電接点がさらに設けられており、プローブは、複数の第１の電気接続点と複数の導電接点とに電気的に接続されている。
【０００９】
上記のテスト用回路板及びその操作方法において、第１の電気接続点、第２の電気接続点とテスト接点は、接地接点、電源接点または信号接点である。
【００１０】
上記のテスト用回路板及びその操作方法において、回路板本体は、ユニバーサルボード構造である。
【００１１】
上記のテスト用回路板及びその操作方法において、プローブは、ケーブルを介して第１の電気接続点に電気的に接続されており、テスト接点は、例えば導電ペースト、ピン、ジャンパー、スイッチングボード、スイッチまたは接続ソケット等の導電部材を介して第２の電気接続点に電気的に接続されている。
【発明の効果】
【００１２】
上記のように、本発明に係るテスト用回路板及びその操作方法は、主にテスト機のテスト接点を回路板本体の周縁領域に集中的に設置し、テスト接点周囲に対して複数の第２の電気接続点を設置し、プローブ周囲に対して複数の第１の電気接続点を設置し、第１の電気接続点及び第２の電気接続点が回路板本体の回路を介して接続可能にしているため、テストする装置の電気検出をする場合、テスト接点を導電部材（例えば導電ペースト、ピン、ジャンパー、スイッチングボード、スイッチまたは接続ソケット）を介して周囲の第２の電気接続点に接続するだけで、テスト機のテスト信号は、該テスト接点、第２の電気接続点、回路板本体の回路、対応する第１の電気接続点、及びプローブを介してテストする装置に伝送されるとともに信号のフィードバックを行うことができる。これにより、信号伝送品質の向上及び操作工程の単純化が達成可能であり、従来のユニバーサルボード構造ではプローブをジャンパーによりスイッチング領域半田接点に電気的に接続させることによる信号伝送品質の不良及び作業の煩雑が発生するという課題を回避することができるとともにユニバーサルボード構造の低コスト、高自由度の利点を有することができる。
【図面の簡単な説明】
【００１３】
【図１】本発明に係るテスト用回路板の平面模式図である。
【図２】本発明に係るテスト用回路板の操作方法模式図である。
【発明を実施するための形態】
【００１４】
以下、具体的な実施例を用いて本発明の実施形態を説明する。この技術分野を熟知する者は、本明細書の記載内容によって簡単に本発明のその他の利点や効果を理解できる。
【００１５】
また、明細書に添付された図面に示す構造、比例、寸法等は、この技術分野を熟知する者が理解できるように明細書に記載の内容に合わせて説明されるものであり、本発明の実施を制限するものではないため、技術上の実質的な意味を有せず、いかなる構造の修飾、比例関係の変更または寸法の調整は、本発明の効果及び目的に影響を与えるものでなければ、本発明に開示された技術内容の範囲に入る。また、明細書に記載された例えば「上」、「一」等の用語は、説明が容易に理解できるようにするためのものであり、本発明の実施可能な範囲を限定するものではなく、その相対関係の変更または調整は、技術内容の実質的変更がなければ、本発明の実施可能の範囲と見なされる。
【００１６】
図１に示すように、本発明に係るテスト用回路板１は、回路板本体１０と、複数の第１の電気接続点Ｄ１、Ｄ２、Ｄ３、Ｄ４と、複数の第２の電気接続点ｄ１、ｄ２、ｄ３、ｄ４と、複数の回路Ｌ１、Ｌ２、Ｌ３、Ｌ４と、テスト接点Ｔ１、Ｔ２、Ｔ３、Ｔ４とを含む。テスト用回路板１は、ウェハ／チップのプローブカードまたはパッケージテストのためのテストロードボード（ｌｏａｄ  ｂｏａｒｄ）等で、テスト機用の回路板に使用可能である。
【００１７】
この実施例において、回路板本体１０は、ユニバーサルボード構造であってもよく、専用ボード構造であってもよい。回路板本体１０には、中央領域と、周縁領域と、中央領域と周縁領域との間に介在する中間領域とが定義されている。
【００１８】
回路板本体１０の中央領域の中心箇所には、観察口１００が設けられており、観察口１００には複数のプローブ１１１が設けられている。
【００１９】
複数の第１の電気接続点Ｄ１、Ｄ２、Ｄ３、Ｄ４は、回路板本体１０の中央領域に設けられ、観察口１００（またはプローブ１１１）の周囲に位置する。この実施例において、第１の電気接続点Ｄ１、Ｄ２、Ｄ３、Ｄ４は接地接点である。ここで、４つの第１の電気接続点を例に説明する。その他の実施例において、第１の電気接続点は、電源接点または信号接点であってもよく、その数量は特に限定されるものではない。
【００２０】
また、回路板本体１０の中央領域には、観察口１００（またはプローブ１１１）に対向する周囲にも複数の導電接点Ｓ１、Ｓ２、Ｓ３、Ｓ４が設けられている。この実施例において、導電接点Ｓ１、Ｓ２、Ｓ３、Ｓ４は、信号接点である。ここで、４つの導電接点を例に説明する。その他の実施例において、導電接点は電源接点または接地接点であってもよく、その数量は特に限定されるものではない。
【００２１】
複数の第２の電気接続点ｄ１、ｄ２、ｄ３、ｄ４は、回路板本体１０の周縁領域に設けられ、かつ複数の第１の電気接続点Ｄ１、Ｄ２、Ｄ３、Ｄ４に対して接続されている。この実施例において、複数の第２の電気接続点ｄ１、ｄ２、ｄ３、ｄ４は接地接点である。その他の実施例において、第２の電気接続点は、電源接点または信号接点であってもよい。
【００２２】
複数の回路Ｌ１、Ｌ２、Ｌ３、Ｌ４は、回路板本体１０に予め設けられており、主に中間領域に配設されており、かつ第１の電気接続点Ｄ１、Ｄ２、Ｄ３、Ｄ４及び第２の電気接続点ｄ１、ｄ２、ｄ３、ｄ４に対して接続されている。
【００２３】
複数のテスト接点Ｔ１、Ｔ２、Ｔ３、Ｔ４は、回路板本体１０の周縁領域に設けられており、かつ複数の第２の電気接続点ｄ１、ｄ２、ｄ３、ｄ４に隣接している。複数のテスト接点Ｔ１、Ｔ２、Ｔ３、Ｔ４は、テスト機のテスト信号を受信し、回路板本体１０の周縁領域に集中的に設けられ、それと同時に複数の第２の電気接続点ｄ１、ｄ２、ｄ３、ｄ４は複数のテスト接点Ｔ１、Ｔ２、Ｔ３、Ｔ４に対して位置している。この実施例において、複数のテスト接点Ｔ１、Ｔ２、Ｔ３、Ｔ４は、テスト機の接地テスト信号を受信する。ここで、４つのテスト接点を例に説明する。その他の実施例において、テスト接点は、テスト機の電源テスト信号まはた高、低周波のテスト信号を受信してもよく、その数量は特に限定されるものではない。
【００２４】
また、複数のテスト接点Ｔ１、Ｔ２、Ｔ３、Ｔ４に隣接した箇所には、複数の第２の電気接続点ｄ１’、ｄ２’がさらに設けられてもよい。そのうち、第２の電気接続点ｄ１’、ｄ２’は、回路板本体１０に予め設けられた回路Ｌ１’、Ｌ２’を介して第２の電気接続点ｄ１、ｄ２に電気的に接続されている。このように、テスト接点Ｔ１、Ｔ２、Ｔ３、Ｔ４は、その近傍で第２の電気接続点ｄ１、ｄ２または第２の電気接続点ｄ１’、ｄ２’を介して第１の電気接続点Ｄ１、Ｄ２と選択的に電気的に接続可能である。
【００２５】
図２は、本発明に係るテスト用回路板１の操作方法模式図であり、図１におけるテスト用回路板１がテストする装置（たとえばウェハ、チップまたはパッケージ等）の回路素子に対応する配置である様子を示している。プローブ１１１は、複数のケーブル１２０を介して第１の電気接続点Ｄ１、Ｄ２、Ｄ３、Ｄ４及び導電接点Ｓ１、Ｓ２、Ｓ３、Ｓ４に対して接続されている。それと同時にプローブ１１１に接続された第１の電気接続点Ｄ１、Ｄ２、Ｄ３、Ｄ４、テスト機のテスト信号送信位置に対応して、複数のテスト接点Ｔ１、Ｔ２、Ｔ３、Ｔ４は、導電部材１３０（例えば導電ペースト、ピン、ジャンパー、スイッチングボード、スイッチまたは接続ソケット等）を介して対応する第２の電気接続点ｄ１、ｄ４、ｄ３、ｄ２’に接続される。さらに、回路板本体１０に予め設けられた回路Ｌ１、Ｌ２、Ｌ３、Ｌ４（Ｌ２’）を介して第１の電気接続点Ｄ１、Ｄ２、Ｄ３、Ｄ４に電気的に接続される。このように、テスト機のテスト信号は、順次にテスト接点Ｔ１、Ｔ２、Ｔ３、Ｔ４、第２の電気接続点ｄ１、ｄ４、ｄ３、ｄ２’、第１の電気接続点Ｄ１、Ｄ２、Ｄ３、Ｄ４、プローブ１１１を介してテストする装置に伝送され、電気的テストが行われる。
【００２６】
上記のように、本発明に係るテスト用回路板及びその操作方法では、テスト機のテスト接点を回路板本体の周縁領域に集中的に設置し、テスト接点周囲に対して複数の第２の電気接続点を設置し、プローブ周囲に対して複数の第１の電気接続点を設置し、第１の電気接続点及び第２の電気接続点が回路板本体の回路を介して接続可能であるようにしているため、テストする装置の電気検出をする場合、テスト接点を導電部材（例えば導電ペースト、ピン、ジャンパー、スイッチングボード、スイッチまたは接続ソケット）を介して周囲の第２の電気接続点に接続するだけで、テスト機のテスト信号は、テスト接点、第２の電気接続点、回路板本体の回路、対応する第１の電気接続点、プローブを介してテストする装置に伝送するとともに信号のフィードバックを行うことができる。これにより、信号伝送品質の向上及び操作工程の単純化が達成可能であり、従来のユニバーサルボード構造ではプローブをジャンパーによりスイッチング領域半田接点に電気的に接続させることによる信号伝送品質の不良及び作業の煩雑が発生するという課題を回避することができるとともにユニバーサルボード構造の低コスト、高自由度の利点を保有することができる。
【００２７】
上記のように、これらの実施形態は本発明の原理およびその効果を例示的に説明するに過ぎず、本発明は、これらによって限定されるものではない。上記実施形態は、この技術分野を熟知する者により本発明の主旨を逸脱しない範囲で種々に修正や変更されることが可能であり、本発明の権利保護範囲は、後述の特許請求の範囲に入るものである。
【符号の説明】
【００２８】
１  テスト用回路板
１０  回路板本体
１００  観察口
１１１  プローブ
１２０  ケーブル
Ｌ１、Ｌ２、Ｌ３、Ｌ４、Ｌ１’、Ｌ２’    回路
１３０  導電部材
Ｄ１、Ｄ２、Ｄ３、Ｄ４  第１の電気接続点
ｄ１、ｄ２、ｄ３、ｄ４、ｄ１’、ｄ２’  第２の電気接続点
Ｓ１、Ｓ２、Ｓ３、Ｓ４  導電接点
Ｔ１、Ｔ２、Ｔ３、Ｔ４  テスト接点
【図１】
2018040801.tif 000003
【図２】
2018040801.tif 000004